(57)【要約】【課題】  簡単な構成の衝突エネルギー吸収材により、衝突エネルギーを効率的に吸収することが可能となり、歩行者に対する保護性能を高めたり、乗員の保護性能を高め得る車両用エネルギー吸収材及びそれを用いた車両の衝突エネルギー吸収構造を提供すること。【解決手段】  圧縮変形による圧縮エネルギー吸収材と、坐屈変形による坐屈エネルギー吸収材とを備え、両エネルギー吸収材の組み合わせにより、衝突エネルギーを吸収する車両用エネルギー吸収材であって、坐屈エネルギー吸収材の衝突方向に対して水平方向に立脚座を設ける事を特徴とする車両用エネルギー吸収材。【選択図】    図３
2005214242.tif 000002
【特許請求の範囲】
【請求項１】
圧縮変形による圧縮エネルギー吸収材と、坐屈変形による坐屈エネルギー吸収材とを備え、両エネルギー吸収材の組み合わせにより、衝突エネルギーを吸収する車両用エネルギー吸収材であって、坐屈エネルギー吸収材の衝突方向に対して水平方向に立脚座を設ける事を特徴とする車両用エネルギー吸収材。
【請求項２】
前記圧縮エネルギー吸収材に対して坐屈エネルギー吸収材をインサート成形により一体的に形成して組み合わせることを特徴とする請求項１記載の車両用エネルギー吸収材。
【請求項３】
前記坐屈エネルギー吸収材と圧縮エネルギー吸収材を別個に成形した後、組み合わせることを特徴とする請求項１記載の車両用エネルギー吸収材。
【請求項４】
前記坐屈エネルギー吸収材と圧縮エネルギー吸収材を部分的あるいは全体を結束する事により両エネルギー吸収材を組み合わせることを特徴とする請求項３記載の車両用エネルギー吸収材。
【請求項５】
前記坐屈エネルギー吸収材及び／又は圧縮エネルギー吸収材の一部に凹形状を設け、固定用治具を取り付ける事により両エネルギー吸収材を組み合わせることを特徴とする請求項４記載の車両用エネルギー吸収材。
【請求項６】
前記坐屈エネルギー吸収材を複数設置する場合において、各々の坐屈エネルギー吸収材に立脚座を単独に設ける事を特徴とする請求項１〜５いずれか１項記載の車両用エネルギー吸収材。
【請求項７】
前記坐屈エネルギー吸収材の立脚座に肉抜き形状を設ける事を特徴とする請求項１〜６のいずれか１項記載の車両用エネルギー吸収材。
【請求項８】
前記坐屈エネルギー吸収材を合成樹脂からなるソリッド状部材で構成した請求項１〜７のいずれか１項記載の車両用エネルギー吸収材。
【請求項９】
前記車両用エネルギー吸収材における坐屈エネルギー吸収材を合成樹脂からなる発泡成形体で構成した請求項１〜７のいずれか１項記載の車両用エネルギー吸収材。
【請求項１０】
前記坐屈エネルギー吸収材を構成する発泡成形体の発泡倍率を２０倍以下に設定した請求項９記載の車両用エネルギー吸収材。
【請求項１１】
前記坐屈エネルギー吸収材を金属部材で構成した請求項１〜７のいずれか１項記載の車両用エネルギー吸収材。
【請求項１２】
前記圧縮エネルギー吸収材を合成樹脂からなる発泡成形体で構成した請求項１〜１１のいずれか１項記載の車両用エネルギー吸収材。
【請求項１３】
前記圧縮エネルギー吸収材を構成する発泡成形体の発泡倍率を２〜６０倍に設定した請求項１〜１２のいずれか１項記載の車両用エネルギー吸収材。
【請求項１４】
請求項１〜１３いずれか一項記載の車両用エネルギー吸収材を用いてなる車両用部材。
【請求項１５】
請求項１〜１３のいずれか１項記載の車両用エネルギー吸収材を車体の前端部に車幅方向に設けたバンパー補強材とそれを覆うバンパーフェイシアー間の空間に設けてなる車両用バンパー。
【請求項１６】
請求項１〜１３のいずれか１項記載の車両用エネルギー吸収材をドアインパネルとドアトリム間の空間に設けてなる車両用ドア。
【請求項１７】
請求項１〜１５のいずれか１項記載の車両用エネルギー吸収材をピラーインパネルとピラートリム間の空間に設けてなる車両用ピラー。
【発明の詳細な説明】
【技術分野】
【０００１】
本発明は、バンパーやサイドドアやピラー等の車両用部材に好適に利用可能な車両用衝突エネルギー吸収材及びそれを用いた車両用部材に関する。
【背景技術】
【０００２】
車両の衝突エネルギー吸収構造としては、歩行者に対する保護性能を高めるため、バンパーフェイシアーの内側に衝突エネルギー吸収材を織り込んだものや、乗員の保護性能を高めるために、ピラーやサイドドアなどの車室側のトリムの内側に衝突エネルギー吸収材を組み込んだものが種々提案され、実用化されている。
【０００３】
例えば車両用バンパーでは、車両の前端部に配置されるバンパー補強材と、バンパー補強材を覆うバンパーフェイシアー間に、ポリプロピレン系樹脂の発泡成形体からなる衝突エネルギー吸収材を設け、衝突エネルギー吸収材が圧縮変形することにより、バンパーに作用する衝突エネルギーを吸収するように構成した車両用バンパー（例えば、特許文献１参照）や、バンパー前部に前後隔壁によって中空部を２重に形成するとともに、前後隔壁の一方に、他方の隔壁と離間して対峙する複数個のリブを突設してなり、バンパーが衝突物と比較的弱く衝突した場合には、バンパーの前壁が窪んで衝突エネルギーが緩衝され、強く衝突した場合には、リブが坐屈変形する事よって衝突エネルギーを緩衝するように構成した車両用バンパーが提案されている（例えば、特許文献２参照）。
【０００４】
一方、バンパーによる衝突エネルギーの吸収期間の全期間にわたって、衝突エネルギー吸収材に作用する衝撃力が略一様になるように設定することで、バンパーに作用する衝突エネルギーを効率よく吸収できることが知られている（例えば、特許文献３参照）。
【０００５】
また、ピラーでは、ピラートリムとピラーインパネル間の隙間にクッション材を配置させたピラー構造が提案されている（例えば、特許文献４参照。）。
【０００６】
更に、サイドドアでは、ドアトリムに車室側へ突出する上下一対の突部を着座した乗員の胸部と腰部に対応させて形成し、ドアトリムとドアインパネル間において突部の内側にクッション材を配置させたサイドドア構造が提案されている（特許文献５参照）。
【０００７】
これら、従来のバンパーやピラーやサイドドアにおけるエネルギー吸収構造では、基本的には、発泡体の圧縮変形又はリブの坐屈変形により衝突エネルギーを吸収しているが、特許文献１、３、４、５記載のような発泡成形体では、初期のエネルギー吸収量が小さいことにより、圧縮変形量を大きく設定する必要があり、また特許文献２記載のようなリブの坐屈変形により衝突エネルギーを吸収させる場合には、初期のエネルギー吸収量は大きいが、リブ坐屈変形後のエネルギー吸収量は著しく低下することかっら、坐屈変形量を大きく設定する必要がある。すなわち、発泡成形体とリブの坐屈のどちらも変形量を充分確保しないと衝突エネルギーを十分に確保出来ないという問題があった。
【特許文献１】特開２００２−１４４９８９号公報（第４頁、第５頁、図１）
【特許文献２】実開昭５７−３７０５１号公報（第４頁〜第６頁、図２、図５）
【特許文献３】特開２００２−１７２９８７号公報（第２頁、第３頁、図２４〜図２８）
【特許文献４】特開平６−２１１０８８号公報（第３頁、第４頁、図２）
【特許文献５】特開平８−６７１４４号公報（第２頁、図６）
【発明の開示】
【発明が解決しようとする課題】
【０００８】
本発明の目的は、簡単な構成の衝突エネルギー吸収材により、衝突エネルギーを効率的に吸収することが可能となり、歩行者に対する保護性能を高めたり、乗員の保護性能を高め得る車両用エネルギー吸収材及びそれを用いた車両の衝突エネルギー吸収構造を提供することである。
【課題を解決するための手段】
【０００９】
図３に示すように、圧縮エネルギー吸収材においてはその変位が大きくなるにしたがって、作用する衝撃力が大きくなる傾向を示し、坐屈エネルギー吸収材においては衝撃力が作用した初期段階において、作用する衝撃力が急速に大きくなってピーク値を迎え、その後は衝撃力が急速に低下する傾向を示す。一方、歩行者や乗員の保護性能を高めるには、歩行者や乗員に対する衝撃力が過剰に大きくならないように設定する必要がある。本発明者らは、歩行者や乗員の保護性能を向上し得る車両用衝突エネルギー吸収材の構成について鋭意検討した結果、圧縮エネルギー吸収材と坐屈エネルギー吸収材の吸収特性を組み合わせる事で、車両用衝突エネルギー吸収材による衝突エネルギー吸収期間の全期間にわたってそれに対する衝撃力を乗員を保護可能な目標値に維持させて、歩行者や乗員の保護性能を確保しつつ、衝突エネルギーを最大限吸収可能にすると共に、前記坐屈エネルギー吸収材に立脚座を設けることや坐屈エネルギー吸収材と圧縮エネルギー吸収材との結束を強固にする事で、坐屈エネルギー吸収材の坐屈変形による衝突エネルギー吸収を安定的に実現出来るとの発想を得て、本発明を完成するに至った。
【００１０】
即ち本発明の第１は、圧縮変形による圧縮エネルギー吸収材と、坐屈変形による坐屈エネルギー吸収材とを備え、両エネルギー吸収材の組み合わせにより、衝突エネルギーを吸収する車両用エネルギー吸収材であって、坐屈エネルギー吸収材の衝突方向に対して水平方向に立脚座を設ける事を特徴とする車両用エネルギー吸収材に関する。
【００１１】
好ましい実施態様としては、
（１）前記圧縮エネルギー吸収材に対して坐屈エネルギー吸収材をインサート成形により一体的に形成して組み合わせることを特徴とする、
（２）前記坐屈エネルギー吸収材と圧縮エネルギー吸収材を別個に成形した後、組み合わせることを特徴とする、
（３）前記坐屈エネルギー吸収材と圧縮エネルギー吸収材を部分的あるいは全体を結束する事により両エネルギー吸収材を組み合わせることを特徴とする、
（４）前記坐屈エネルギー吸収材及び／又は圧縮エネルギー吸収材の一部に凹形状を設け、固定用治具を取り付ける事により両エネルギー吸収材を組み合わせることを特徴とする、
（５）前記坐屈エネルギー吸収材を複数設置する場合において、各々の坐屈エネルギー吸収材に立脚座を単独に設ける事を特徴とする、
（６）前記坐屈エネルギー吸収材の立脚座に肉抜き形状を設ける事を特徴とする、
（７）前記坐屈エネルギー吸収材を合成樹脂からなるソリッド状部材で構成した、
（８）前記車両用エネルギー吸収材における坐屈エネルギー吸収材を合成樹脂からなる発泡成形体で構成した、
（９）前記坐屈エネルギー吸収材を構成する発泡成形体の発泡倍率を２０倍以下に設定した、
（１０）前記坐屈エネルギー吸収材を金属部材で構成した、
（１１）前記圧縮エネルギー吸収材を合成樹脂からなる発泡成形体で構成した、
（１２）前記圧縮エネルギー吸収材を構成する発泡成形体の発泡倍率を２〜６０倍に設定した、
前記記載の車両用エネルギー吸収材に関する。
【００１２】
本発明の第２は、前記記載の車両用エネルギー吸収材を用いてなる車両用部材に関し、好ましい実施態様としては、
（１）前記記載の車両用エネルギー吸収材を車体の前端部に車幅方向に設けたバンパー補強材とそれを覆うバンパーフェイシアー間の空間に設けてなる車両用バンパー、
（２）前記記載の車両用エネルギー吸収材をドアインパネルとドアトリム間の空間に設けてなる車両用ドア、
（３）前記記載の車両用エネルギー吸収材をピラーインパネルとピラートリム間の空間に設けてなる車両用ピラー、
に関する。
【発明の効果】
【００１３】
本発明の車両用エネルギー吸収材は、圧縮エネルギー吸収材と坐屈エネルギー吸収材とを組み合わせることにより衝突エネルギーを吸収するので、車両用エネルギー吸収材の全期間に渡って衝撃力を略一定に維持することが可能であり、さらに前記坐屈エネルギー吸収材に立脚座を設けることで、坐屈安定性を向上し衝突物の衝突角度や坐屈エネルギー吸収材の断面形状の製作バラツキによる坐屈変形のバラツキを少なくし、安定的に衝突エネルギーを吸収することが可能となる。従って、車両用エネルギー吸収材に対する衝撃力を歩行者や乗員の保護性能を確保可能な目標値に設定することで、衝撃力を抑えて歩行者や乗員の保護性能を確保しつつ、衝突エネルギーを最大限吸収することが可能となる。
【発明を実施するための最良の形態】
【００１４】
本発明に係る車両用エネルギー吸収材は、圧縮変形による圧縮エネルギー吸収材と、坐屈変形による坐屈エネルギー吸収材とを備え、両エネルギー吸収材の組み合わせにより、車体への衝突エネルギーを吸収するものであり、坐屈エネルギー吸収材の衝突方向に対して水平方向に立脚座を設けることを特徴とするものである。
【００１５】
圧縮エネルギー吸収材においてはその変位が大きくなるにしたがって作用する衝撃力が大きくなる傾向を示し、坐屈エネルギー吸収材においては衝撃力が作用した初期段階で作用する衝撃力が急速に大きくなってピーク値を迎え、その後は衝撃力が急速に低下する傾向を示すことになるが、本発明の車両用エネルギー吸収材では、圧縮エネルギー吸収材と坐屈エネルギー吸収材とを組み合わせることにより衝突エネルギーを吸収するので、車両用エネルギー吸収材の全期間に渡って衝撃力を略一定に維持することが可能であり、さらに前記坐屈エネルギー吸収材に立脚座を設けることで、坐屈安定性を向上し衝突物の衝突角度や坐屈エネルギー吸収材の断面形状の製作バラツキによる坐屈変形のバラツキを少なくし、安定的に衝突エネルギーを吸収することが可能となるので、車両用エネルギー吸収材に対する衝撃力を歩行者や乗員の保護性能を確保可能な目標値に設定することで、衝撃力を抑えて歩行者や乗員の保護性能を確保しつつ、衝突エネルギーを最大限吸収することが可能となる。
【００１６】
本発明においては、圧縮エネルギー吸収材と坐屈エネルギー吸収材を組み合わせることによって車両用エネルギー吸収材とするが、その組み合わせる手法としては両者の結束の強度を向上させるものであることが好ましい。例えば、前記圧縮エネルギー吸収材に対して坐屈エネルギー吸収材をインサート成形により一体的に形成する方法が挙げられる。この場合には、坐屈エネルギー吸収材を予め製作し、これを金型内にセットして、圧縮エネルギー吸収材をインサート成形するので、成形工程は多少複雑になるが、圧縮エネルギー吸収材に対する坐屈エネルギー吸収材の取り付け強度を向上でき、後工程での車両組み立て工数を少なくすることが出来る。
【００１７】
また、前記坐屈エネルギー吸収材と圧縮エネルギー吸収材とを別個に成形して一体化させてもよい。この場合には、部品点数は増えるものの、圧縮エネルギー吸収材の成形を容易にでき、両エネルギー吸収材を接着剤・接着部材・固定用治具等により強固に一体化できる。ここで、前記車両用エネルギー吸収材の坐屈エネルギー吸収材を圧縮エネルギー吸収材と組み合わせる場合において、坐屈エネルギー吸収材と圧縮エネルギー吸収材の両方を部分的あるいは全体的に結束してもよい。結束の手法としては、接着剤やテープ、ラップフィルム等の接着部材を使用したり、また、坐屈エネルギー吸収材及び／又は圧縮エネルギー吸収材の一部に凹形状を設け、固定用治具を取り付ける事によって、両者の結束状態を強固にしてもよい。この場合には衝突時の坐屈エネルギー吸収材と圧縮エネルギー吸収材の摩擦による影響を抑える事が可能となり、衝突エネルギー吸収のバラツキを少なくし、最大限エネルギー吸収する事が可能となる。
【００１８】
複数の前記坐屈エネルギー吸収材を圧縮エネルギー吸収材の両側面及びその中間位置に設置する場合においては、各々の坐屈エネルギー吸収材に立脚座を単独に設置してもよいし、坐屈エネルギー吸収材の立脚座を一体的に繋いでもよい。各々の坐屈エネルギー吸収材に立脚座を単独に設置した場合には、、坐屈エネルギー吸収材の体積を減らす事が出来るので、衝突エネルギー吸収材の重量を軽減しつつ、車両用エネルギー吸収材に対する衝撃力を歩行者や乗員の保護性能を確保可能な目標値に設定することで、衝撃力を抑えて歩行者や乗員の保護性能を確保しつつ、衝突エネルギーを最大限吸収することが可能となる。
【００１９】
また、坐屈エネルギー吸収材の立脚座を一体的に繋いだ構成にすると部品点数を少なく設計することが可能となり、圧縮エネルギー吸収材との複合が容易となり、組み立て作業における効率アップが可能となる。
【００２０】
前記坐屈エネルギー吸収材における立脚座の縦、横、高さ及び設置数を変更する事で、車両用エネルギー吸収材全体の重量を調整しても良いし、立脚座に肉抜き形状を設ける事によって、車両用エネルギー吸収材全体の重量を調整しても良い。この場合には、車両用エネルギー吸収材の重量を軽減しつつ、車両用エネルギー吸収材に対する衝撃力を歩行者や乗員の保護性能を確保可能な目標値に設定することで、衝撃力を抑えて歩行者や乗員の保護性能を確保しつつ、衝突エネルギーを最大限吸収することが可能となる。
【００２１】
坐屈エネルギー吸収材の素材としては、坐屈変形により衝突荷重を吸収可能なものであれば、合成樹脂からなるソリッド状の部材や高密度発泡体、あるいは金属材料などを採用出来る。具体的にはポリスチレン系合成樹脂や、ポリエチレン系樹脂やポリプロピレン系樹脂などのポリオレフィン系樹脂や、これらの合成樹脂の共重合体などからなる合成樹脂材料のソリッド状部材や高密度発泡体を採用できる。高密度発泡体で構成する場合には、坐屈エネルギー吸収材が確実に坐屈するように、その発泡倍率を２０倍以下に設定することが好ましい。合成樹脂材料のソリッド状部材を採用した場合には、前記坐屈エネルギー吸収材を車両側突部に一体成形する事で、部品点数を極力少なくしつつ衝突性能を向上出来るので好ましい。、前記坐屈エネルギー吸収材を合成樹脂材料からなる発泡成形体で構成すると、衝突エネルギー吸収性能を十分に確保しつつ、圧縮エネルギー吸収材とを一体成形でき、組み立て作業工数を削減出来ると共に、バンパーの車両用衝突エネルギー吸収材を軽量に構成出来る。
【００２２】
また、前記坐屈エネルギー吸収材を金属部材で構成した場合には、エネルギー吸収材全体の重量は重い構成となるが、合成樹脂からなるエネルギー吸収材と比べた場合、高エネルギー吸収が可能となるので好ましい。
【００２３】
圧縮エネルギー吸収材としては、圧縮変形により衝突荷重を緩衝可能なものであれば、合成樹脂材料や合成ゴム材料などを採用でき、例えば、ポリスチレン系樹脂や、ポリエチレン系樹脂やポリプロピレン系樹脂などのポリオレフィン系合成樹脂や、これらの合成樹脂の共重合体などからなる発泡成形体を好適に利用できる。中でも発泡成形体を用いることが好ましい。
【００２４】
このような発泡成形体をビーズ法にて成形する場合には、素材自体に柔軟性を有することから、例えばエチレンプロピレンランダムポリプロピレン樹脂、エチレンプロピレンブロックポリプロピレン樹脂、ホモポリプロピレンエチレンプロピレンランダムタ−ポリマー、直鎖状低密度ポリエチレン（ＬＬＤＰＥ）、架橋低密度ポリエチレン（架橋ＬＤＰＥ）などのポリオレフィン系樹脂を好適に利用できる。また、発泡成形体の発泡倍率は、原料ビーズの素材にもよるが、３〜１５０倍の範囲内が好ましい。具体的には、ポリオレフィン系合成樹脂材料からなる予備発泡ビーズにおいては、発泡倍率が低すぎると衝撃力が大きくなり、高すぎると十分に衝突エネルギーを吸収できないので、２倍以上で９０倍以下が好ましく、さらに好ましくは２倍以上で６０倍以下のものを採用することになる。このように構成すると、エネルギー吸収性能を十分に確保しつつ、発泡倍率の調整により要求の衝突エネルギー吸収特性を実現出来ると共に、車両用衝突エネルギー吸収材を軽量に構成出来る。
【００２５】
本発明の車両用エネルギー吸収材は、バンパー、ドア、ピラー等の車両用部材に使用することで、衝突時の衝撃力を抑えて歩行者や乗員の保護性能を確保しつつ、衝突エネルギーを最大限吸収するものである。
【００２６】
本発明の車両用エネルギー吸収材を車両用バンパーに用いてなる場合、車両用エネルギー吸収材を車体の前端部に車幅方向に設けたバンパー補強材と、それを覆うバンパーフェイシアー間の空間内に設けることが可能である。本発明の車両用バンパーにおいては、歩行者を保護可能な目標値に車両用衝突ネルギー吸収材に対する衝撃力を設定することで、バンパーとの接触時における歩行者の保護性能を確保しつつ、衝突エネルギーを最大限吸収することが可能となる。
【００２７】
本発明の車両用エネルギー吸収材を車両用ドアに用いてなる場合、本発明に係る車両用エネルギー吸収材をドアインパネルとドアトリム間の空間内に設けることが可能である。本発明の車両用ドアにおいては、乗員を保護可能な目標値に車両用衝突エネルギー吸収材に対する衝撃力を設定することで、ドアとの接触における乗員の保護性能を確保しつつ、衝突エネルギーを最大限吸収可能となる。
【００２８】
本発明の車両用エネルギー吸収材をピラーに用いてなる場合、本発明に係る車両用エネルギー吸収材をピラーインパネルとピラートリム間の空間内に設けることが可能である。本発明の車両用ピラーにおいては、乗員を保護可能な目標値に車両用衝突エネルギー吸収材に対する衝撃力を設定することで、ピラーとの接触における乗員の保護性能を確保しつつ、衝突エネルギーを最大限吸収可能となる。
【実施例】
【００２９】
以下、本発明の実施の形態について更に図面を参照しながら詳細に説明する。
（実施例１）
この第一実施例は、本発明に係る車両用エネルギー吸収材を自動車のフロントバンパーに適応した場合のものである。
【００３０】
図１に示すように、車体の前端部には車幅方向に延びるバンパー補強材１が設けられ、バンパー補強材１の前側にはそれを覆うようにバンパーフェイシアー２が設けられ、バンパー補強材とバンパーフェイシアー２間には車両用エネルギー吸収材３が装着されている。
【００３１】
フロントバンパー４は、バンパーフェイシアー２と車両用エネルギー吸収材３とで構成され、前突時における衝突荷重は、バンパーフェイシアー２を介して車両用エネルギー吸収材３に伝達されて、両者が変形する事で受け止められ、更に大きな衝突荷重が作用すると、バンパー補強材１に衝突荷重が作用して、バンパー補強材１が変形することで受け止められる。但し、リアバンパーの車両用エネルギー吸収材に対しても本発明を同様に適用する事が可能である。
【００３２】
車両用エネルギー吸収材３は図１、図２に示すように、合成樹脂発泡成形体からなる圧縮エネルギー吸収材５と、合成樹脂成形体からなる坐屈エネルギー吸収材６とを備え、車両用エネルギー吸収材３に作用する衝突エネルギーは、圧縮エネルギー吸収材５が衝突期間の略全期間にわたって圧縮変形することにより、吸収されるとともに、坐屈エネルギー吸収材６が衝突エネルギー吸収期間の初期を中心に坐屈変形することにより吸収されることになる。
【００３３】
坐屈エネルギー吸収材６は、図１０〜図１８に示すように、衝突エネルギー吸収時の立脚座１０を備えており、この立脚座１０は車両用エネルギー吸収材３の全長にわたって設置してある。
【００３４】
設置した立脚座１０の縦、横、高さ寸法と形状及び設置数は任意に設定可能であり、衝突エネルギー吸収時の最大変位量を超えない範囲であれば（例えば、衝突方向に対する車両用エネルギー吸収材の高さ５０ｍｍで、この時の最大変位が４０ｍｍであった場合には１０ｍｍ以下の寸法となる）、安定した坐屈変形によるエネルギー吸収が実現出来るので、設定許容値（例えば、最大荷重値９０００Ｎ以下でエネルギー吸収量３５０Ｎ・ｍを満足する）に対して、効率の良いエネルギー吸収を実現出来るので、衝撃力を抑えて歩行者や乗員の保護性能を確保しつつ、衝撃エネルギーを最大限吸収することが可能となる。
【００３５】
坐屈エネルギー吸収材６の立脚座１０は車両用エネルギー吸収材３の全長にわたって一体的に設けてもよいし、それぞれ独立した形で一定間隔おきに設けてもよい。坐屈エネルギー吸収材６の立脚座１０を一体的に形成した場合においては部品数が少なくなるので、圧縮エネルギー吸収材５と複合する場合の二次加工性が容易となるし、立脚座１０をそれぞれ単独で設置した場合においては、立脚座１０の縦、横、高さ寸法を小さくしたり、設置数を少なくする事によって、車両用エネルギー吸収材３の重量を軽減しつつ、衝突エネルギーを最大限吸収することが可能となる。
【００３６】
坐屈エネルギー吸収材６の素材としては、坐屈変形により衝突荷重を吸収可能なものであれば、合成樹脂からなるソリッド状の部材や高密度発泡体、あるいは金属材料などを採用出来る。具体的にはポリスチレン系合成樹脂や、ポリエチレン系樹脂やポリプロピレン系樹脂などのポリオレフィン系樹脂や、これらの合成樹脂の共重合体などからなる合成樹脂材料のソリッド状部材や高密度発泡体を採用できる。高密度発泡体で構成する場合には、坐屈エネルギー吸収材６が確実に坐屈するように、その発泡倍率を２０倍以下に設定することが好ましい。
【００３７】
圧縮エネルギー吸収材５は、バンパー補強材１とバンパーフェイシアー２間の空間に適合する形状に形成されて該空間に略隙間なく装着され、衝突エネルギー吸収期間の略全期間のわたって圧縮変形するようにバンパー補強材１の前側に配置されている。
【００３８】
圧縮エネルギー吸収材５としては、圧縮変形により衝突荷重を緩衝可能なものであれば、合成樹脂材料や合成ゴム材料などを採用でき、例えば、ポリスチレン系樹脂や、ポリエチレン系樹脂やポリプロピレン系樹脂などのポリオレフィン系合成樹脂や、これらの合成樹脂の共重合体などからなる発泡成形体を好適に利用できる。
【００３９】
このような発泡成形体をビーズ法にて成形する場合には、素材自体に柔軟性を有することから、例えばエチレンプロピレンランダムポリプロピレン樹脂、エチレンプロピレンブロックポリプロピレン樹脂、ホモポリプロピレンエチレンプロピレンランダムタ−ポリマー、直鎖状低密度ポリエチレン（ＬＬＤＰＥ）、架橋低密度ポリエチレン（架橋ＬＤＰＥ）などのポリオレフィン系樹脂を好適に利用できる。また、発泡成形体の発泡倍率は、原料ビーズの素材にもよるが、３〜１５０倍の範囲内が好ましい。具体的には、ポリオレフィン系合成樹脂材料からなる予備発泡ビーズにおいては、発泡倍率が低すぎると衝撃力が大きくなり、高すぎると十分に衝突エネルギーを吸収できないので、２倍以上で９０倍以下、好ましくは２倍以上で６０倍以下のものを採用することになる。
【００４０】
エネルギー吸収材の選定に際し、リサイクルの観点から、圧縮エネルギー吸収材ならびに坐屈エネルギー吸収材の両方をポリプロピレン系樹脂で構成することが好ましい。
【００４１】
坐屈エネルギー吸収材６と圧縮エネルギー吸収材５の固定は、図４、７に示すようなテープ８による部分結束や（例えば、全長１８００ｍｍの衝突エネルギー吸収材に、幅５０ｍｍのテープを両端や中央部分を基準に５ヶ所の結束を行う）、図６に示すようにラップフィルム１１を使用する事によって車両用エネルギー吸収材３の全体を覆う形で結束する事が出来る。この事によって、衝突時の坐屈エネルギー吸収材６と圧縮エネルギー吸収材５の摩擦による衝突エネルギー吸収のバラツキを抑え、衝突エネルギーを効率良く吸収する事が可能となる。
【００４２】
坐屈エネルギー吸収材６と圧縮エネルギー吸収材５の固定については、圧縮エネルギー吸収材５と坐屈エネルギー吸収材６に凹形状を設ける事によって固定用治具９を挿入し、両者を結束してもよい。
【００４３】
固定用治具９は、合成樹脂からなるソリッド状部材や高密度発泡体、あるいは金属材料などを採用出来る。具体的にはポリスチレン系合成樹脂や、ポリエチレン系樹脂やポリプロピレン系樹脂などのポリオレフィン系樹脂や、これらの合成樹脂の共重合体などからなる合成樹脂材料のソリッド状部材や高密度発泡体を採用でき、図９に示すように坐屈エネルギー吸収材６と一体的に形成してもよい。
【００４４】
固定用治具９は図５に示すように、坐屈エネルギー吸収材６ａと坐屈エネルギー吸収材６ｂとで固定可能であり、坐屈エネルギー吸収材６ａと６ｂの間に坐屈エネルギー吸収材６ｃを複数枚設置してもよい。また、圧縮エネルギー吸収材５ａと５ｂとを固定用治具９で固定し、その間に坐屈エネルギー吸収材６ａ，６ｂを挟み込んでもよく、固定用治具９ａと９ｂを衝突方向に対して上下に設置する事により、結束状態を強固にする事も可能である。
（実施例２）
この第二実施例２は、本発明に係る車両用エネルギー吸収材を自動車のフロントサイドドアに適応したものである。
【００４５】
図１９、図２０に示すように、フロントサイドドア１２について説明すると、ドアアウタパネル１８とドアインパネル１５とからなる閉断面状のサイドドア本体１７が設けられ、サイドドア本体１７の車室側にはドアトリム２１が設けられている。ドアトリム２１にはその車体前後方向の全長にわたって延びる上側突部１３と下側突部２２とが乗員の胸部と脚部に対応させて車室側へ突出状に設けられ、ドアインパネル１５とドアトリム２１間において上側突部１３内には上部衝突エネルギー吸収材２３が設けられ、ドアインパネル１５とドアトリム２１間において下側突部２２内には下部衝突エネルギー吸収材２４が設けられている。
【００４６】
上下の車両用エネルギー吸収材２３、２４は、前記第一実施例における車両用エネルギー吸収材３とサイズは異なるが基本的には同構成に構成されており、前記第一実施例におけるバンパー補強材１をドアインパネル１５と読み替え、バンパーフェイシアー２をドアトリム２１と読み替え、車幅方向を車体前後方向と読み替えることでサイドドア１１に組み付けることができる。
【００４７】
具体的には、車両用エネルギー吸収材２３、２４は、ドアトリム２２側へ延びる複数の坐屈エネルギー材６を備えている。また、坐屈エネルギー吸収材６は、車体前後方向に細長い略平板状の立脚座１０と、坐屈エネルギー吸収材６と圧縮エネルギー吸収材５とを結束する固定用治具９を備えている。
【００４８】
そして、坐屈エネルギー吸収材６の立脚座１０と圧縮エネルギー吸収材とを結束する固定用治具９を備えることで、効率の良いエネルギー吸収を実現し、衝撃力を抑えて乗員の保護性能を確保しつつ、衝撃エネルギーを最大限吸収することが可能となる。
【００４９】
尚、上下の車両用エネルギー吸収材２３、２４のうち一方を省略することも可能であるし、上下の車両用エネルギー吸収材２３、２４に代えて、前記第一実施例で例示した種々構成の車両用エネルギー吸収材を同様にして組み立てることが可能である。
【００５０】
また、本実施例では、運転席側のフロントサイドドア１２に本発明を適用したが、助手席側のフロントサイドドアに適用する事も可能であるし、左右のリアサイドドアに対しても本発明を適用可能である。
（実施例３）
この第三実施例は、本発明に係る車両用エネルギー吸収材を自動車のフロントピラーに適応したものである。
【００５１】
図２１、２２に示すように、フロントピラー２６について説明すると、ピラーアウターパネル１９とピラーインパネル２７とからなる閉断面状のピラー本体２８が設けられ、ピラー本体２８の車室側にはピラートリム２０が設けられている。ピラーインパネル２７とピラートリム２０の間には車両用エネルギー吸収材２９が設けられている。
【００５２】
車両用エネルギー吸収材２９は、前記第一実施例における車両用エネルギー吸収材３とサイズは異なるが基本的には同様に構成され、第一実施例におけるバンパー補強材１をピラーインパネル２７と読み替え、バンパーフェイシアー２をピラートリム２０と読み替え、車幅方向をピラー本体２８の長さ方向と読み替えることでフロントピラー２６に組み付ける事が出来る。
【００５３】
具体的には、車両用エネルギー吸収材２９は、ピラートリム２０側へ延びる複数の坐屈エネルギー吸収材６を備えている。また、坐屈エネルギー吸収材６は、車体前後方向に細長い略平板状の立脚座１０と、坐屈エネルギー吸収材６と圧縮エネルギー吸収材５とを結束する固定用治具９を備えている。
【００５４】
そして、坐屈エネルギー吸収材６の立脚座１０と圧縮エネルギー吸収材とを結束する固定用治具９を備えることで、効率の良いエネルギー吸収を実現し、衝撃力を抑えて乗員の保護性能を確保しつつ、衝撃エネルギーを最大限吸収することが可能となる。
【００５５】
尚、車両用エネルギー吸収材２９に代えて、前記第一実施例で例示した種々構成の車両用エネルギー吸収材を同様にして組み付ける事が可能である。
【００５６】
また、本第三実施例では、フロントピラー２６に本発明を適用したが、センターピラーやリアピラーに対しても同様に本発明を適用出来る。
【００５７】
これら実施例では、車両のバンパーとサイドドアとピラーに本発明を適用した場合について説明したが、これ以外の部位に対しても本発明を同様に適用出来る。
〔性能試験１〕
（実施例４）
圧縮エネルギー吸収材５として、ポリプロピレン系樹脂からなる予備発泡ビーズを用い、成形体倍率が２０倍（鐘淵化学製原料エペランＰＰ使用）となるように金型内に予備発泡ビーズを充填して図２３、図２４に示すようなサイズの発泡成形体からなる圧縮エネルギー吸収材５をビーズ法にて製作し、また坐屈エネルギー吸収材６としてポリプロピレン系樹脂からなる非発泡の板状部材からなり、図２３、２４に示すようなサイズの坐屈エネルギー吸収材６を製作した。そして、２枚の坐屈エネルギー吸収材６を圧縮エネルギー吸収材５に挟み込む形で組み付けてなる試験片を４個製作した。
【００５８】
また、比較例として、圧縮エネルギー吸収材５の外形サイズを圧縮エネルギー吸収材５と同じに設定した発泡成形体からなる試験片を１個製作した。
（試験方法）
７個の各試験片を受け台に順次セットして、試験片の長さ方向の中央部に幅方向に沿って衝突物重量５５．７５ｋｇのφ７０ｍｍ丸棒からなる衝突物を落下高さ７２．３ｃｍから衝突させ、そのときの試験片の変位とその加速度を測定し、図２５に示す比較例の測定結果と、図２６〜２９に示す実施例４の測定結果とを得た。また、これらの測定結果から、試験片の変位、最大加速度、衝撃力、エネルギー吸収量、エネルギー吸収効率を求め、表１を得た。
【００５９】
【表１】
2005214242.tif 000003
表１から、圧縮エネルギー吸収材５と坐屈エネルギー吸収材６を用いた本実施例４は、発泡成形体からのみなる比較例と比較して、衝撃力において４８％の軽減、エネルギー吸収効率において１８．９％も効率が良くなっており、歩行者の保護性能が高められていることが分かる。
〔性能試験２〕
坐屈エネルギー吸収材６に立脚座１０を設置し、圧縮エネルギー吸収材５と結束する事によって、エネルギー吸収量のバラツキが改善出来る例として、以下の性能試験について説明する。
（実施例５）
圧縮エネルギー吸収材５として、ポリプロピレン系樹脂からなる予備発泡ビーズを用い、成形体倍率が２０倍（鐘淵化学製原料エペランＰＰ使用）となるように金型内に予備発泡ビーズを充填して図２３、図２４に示すようなサイズの発泡成形体からなる圧縮エネルギー吸収材５をビーズ法にて製作し、また坐屈エネルギー吸収材としてポリプロピレン系樹脂からなる非発泡の板状部材からなり、立脚座１０を設置した図２３、２４に示すようなサイズの坐屈エネルギー吸収材６を製作した。そして２枚の坐屈エネルギー吸収材６を圧縮エネルギー吸収材５で挟み込む形で組み付け、その両端及びφ７０ｍｍからなる衝突物が衝突する衝突部を幅５０ｍｍのＰＰ製テープ８によって結束した試験片を４個製作した。
【００６０】
参考例として、衝突部を未結束とし、坐屈エネルギー吸収材の立脚部となる立脚座１０を未設置の試験片を４個製作した。
（試験方法）
本発明においては、試験片を受け台に順次セットして、試験片の長さ方向の中央部に幅方向に沿って衝突物重量５５．７５ｋｇ、φ７０ｍｍ丸棒からなる衝突物を落下高さ７２．３ｃｍから衝突させ、その時の試験片の変位と荷重の関係を測定し、図３０に示す参考例と、図３１に示す本発明の実施例５の測定結果を得た。これらの測定結果から、試験片の変位、衝撃力、エネルギー吸収量、エネルギー吸収効率を求め、表２を得た。
【００６１】
【表２】
2005214242.tif 000004
表２から、坐屈エネルギー吸収材６に立脚座１０を設け、圧縮エネルギー吸収材との結束を強固にした実施例５は、参考例と比べた場合、変位においては標準偏差を０．００１９から０．０００６へ、最大衝撃荷重においては標準偏差を３９３．１から２０８．２へ、エネルギー吸収効率においては標準偏差を３．５から０．７へ改善出来ており、坐屈エネルギー吸収材５に立脚座を設置し、圧縮エネルギー吸収材と結束する事によって、エネルギー吸収量のバラツキを低減する事が可能となり、より効率の高いエネルギー吸収が実現されている事が分かる。
【産業上の利用可能性】
【００６２】
本発明による車両の衝突エネルギー吸収構造によれば、これをバンパーに適用した場合には、歩行者を保護可能な目標値に車両用衝突エネルギー吸収材に対する衝撃力を設定することで、バンパーとの接触時における歩行者の保護性能を確保しつつ、衝突エネルギーを最大限吸収することが可能となる。また、ドアやピラーに適用した場合には、乗員を保護可能な目標値に車両用衝突エネルギー吸収材に対する衝撃力を設定することで、ドアやピラーとの接触時における乗員の保護性能を確保しつつ、衝突エネルギーを最大限吸収することが可能となる。
【図面の簡単な説明】
【００６３】
【図１】フロントバンパーの縦断面図
【図２】他のフロントバンパーの縦断面図
【図３】衝突エネルギー吸収材と変位と荷重の関係を示すグラフ
【図４】車両用エネルギー吸収材の要部正面図と断面図
【図５】他の車両用エネルギー吸収材の要部正面図と断面図
【図６】他の車両用エネルギー吸収材の要部正面図と断面図
【図７】他の車両用エネルギー吸収材の要部正面図と断面図
【図８】他の車両用エネルギー吸収材の要部正面図と断面図
【図９】他の車両用エネルギー吸収材の要部正面図と断面図
【図１０】坐屈エネルギー吸収材の斜視図
【図１１】他の坐屈エネルギー吸収材の斜視図
【図１２】他の坐屈エネルギー吸収材の斜視図
【図１３】他の坐屈エネルギー吸収材の斜視図
【図１４】他の坐屈エネルギー吸収材の斜視図
【図１５】他の坐屈エネルギー吸収材の斜視図
【図１６】他の坐屈エネルギー吸収材の斜視図
【図１７】他の坐屈エネルギー吸収材の斜視図
【図１８】他の坐屈エネルギー吸収材の斜視図
【図１９】フロントサイドドアの車室側からみた側面図
【図２０】図１９のＡ−Ａ線断面図
【図２１】車体の要部側面図
【図２２】図２１のＢ−Ｂ線断面図
【図２３】性能試験１で用いた本発明の試験片
【図２４】性能試験１で用いた本発明の試験片
【図２５】性能試験１による比較例の結果グラフ
【図２６】性能試験１による本発明例の結果グラフ
【図２７】性能試験１による本発明例の他の結果グラフ
【図２８】性能試験１による本発明例の他の結果グラフ
【図２９】性能試験１による本発明例の他の結果グラフ
【図３０】性能試験２による参考例の結果グラフ
【図３１】性能試験２による本発明例の他の結果グラフ
【符号の説明】
【００６４】
１    バンパー補強材
２    バンパーファイシア−
３    車両用エネルギー吸収材
４    フロントバンパー
５    圧縮エネルギー吸収材
６    坐屈エネルギー吸収材
８    テープ
９    固定用治具
１０  立脚座
１１  ラップフィルム
１２  フロントサイドドア
１３  上側突部
１５  ドアインパネル
１７  サイドドア本体
１８  ドアアウタパネル
１９  ピラーアウターパネル
２０  ピラートリム
２１  ドアトリム
２２  下側突部
２３  上部車両用エネルギー吸収材
２４  下部車両用エネルギー吸収材
２６  フロントピラー
２７  ピラーインパネル
２８  ピラー本体
２９  車両用エネルギー吸収材
【図１】
2005214242.tif 000005
【図２】
2005214242.tif 000006
【図３】
2005214242.tif 000007
【図４】
2005214242.tif 000008
【図５】
2005214242.tif 000009
【図６】
2005214242.tif 000010
【図７】
2005214242.tif 000011
【図８】
2005214242.tif 000012
【図９】
2005214242.tif 000013
【図１０】
2005214242.tif 000014
【図１１】
2005214242.tif 000015
【図１２】
2005214242.tif 000016
【図１３】
2005214242.tif 000017
【図１４】
2005214242.tif 000018
【図１５】
2005214242.tif 000019
【図１６】
2005214242.tif 000020
【図１７】
2005214242.tif 000021
【図１８】
2005214242.tif 000022
【図１９】
2005214242.tif 000023
【図２０】
2005214242.tif 000024
【図２１】
2005214242.tif 000025
【図２２】
2005214242.tif 000026
【図２３】
2005214242.tif 000027
【図２４】
2005214242.tif 000028
【図２５】
2005214242.tif 000029
【図２６】
2005214242.tif 000030
【図２７】
2005214242.tif 000031
【図２８】
2005214242.tif 000032
【図２９】
2005214242.tif 000033
【図３０】
2005214242.tif 000034
【図３１】
2005214242.tif 000035